(57)【要約】【課題】手入力を行わず、室内機の識別情報と位置情報とを関連付ける。【解決手段】室内機２は、自機の識別情報を含む信号を送信する識別情報送信部２０４を有し、携帯端末４は、識別情報送信部２０４により送信された信号を受信する識別情報受信部４０１と、識別情報受信部４０１により受信された信号から、室内機２の位置情報を検出する位置情報検出部４０３と、識別情報受信部４０１により受信された信号に含まれる識別情報及び位置情報検出部４０３により検出された該当する位置情報を関連付けて記憶する記憶部４０４とを有する。【選択図】図１
2017207248.tif 000002
【特許請求の範囲】
【請求項１】
室内機及び携帯端末を備え、
前記室内機は、
自機の識別情報を含む信号を送信する識別情報送信部を有し、
前記携帯端末は、
前記識別情報送信部により送信された信号を受信する識別情報受信部と、
前記識別情報受信部により受信された信号から、前記室内機の位置情報を検出する位置情報検出部と、
前記識別情報受信部により受信された信号に含まれる識別情報及び前記位置情報検出部により検出された該当する位置情報を関連付けて記憶する関連情報記憶部とを有する
ことを特徴とする空調システム。
【請求項２】
前記携帯端末は、
前記室内機が設置された建物のフロアマップを記憶する端末側マップ記憶部と、
前記関連情報記憶部に記憶された位置情報に基づいて、前記端末側マップ記憶部に記憶されたフロアマップに示された該当する前記室内機に対し、当該位置情報に関連付けられた識別情報を対応付ける対応付け部とを有する
ことを特徴とする請求項１記載の空調システム。
【請求項３】
前記室内機を管理する集中コントローラを備え、
前記携帯端末は、
前記対応付け部による対応付けが完了した後、前記端末側マップ記憶部に記憶されたフロアマップを送信するマップ送信部を有し、
前記集中コントローラは、
前記室内機が設置された建物のフロアマップを記憶するコントローラ側マップ記憶部と、
前記マップ送信部により送信されたフロアマップを受信するマップ受信部と、
前記コントローラ側マップ記憶部に記憶されたフロアマップを、前記マップ受信部により受信されたフロアマップに更新するマップ更新部とを有する
ことを特徴とする請求項２記載の空調システム。
【請求項４】
前記位置情報検出部は、自機の位置情報及び前記識別情報受信部により受信された信号の電界強度から、前記室内機の位置情報を検出する
ことを特徴とする請求項１記載の空調システム。
【請求項５】
前記携帯端末は、
前記フロアマップ上における自機の位置情報の入力を受付ける位置情報受付部を有し、
前記位置情報検出部は、前記位置情報受付部により受付けられた自機の位置情報を用いる
ことを特徴とする請求項４記載の空調システム。
【請求項６】
前記識別情報送信部は、自機の識別情報及び位置情報を含む信号を送信し、
前記位置情報検出部は、前記識別情報受信部により受信された信号に含まれる位置情報から、前記室内機の位置情報を検出する
ことを特徴とする請求項１記載の空調システム。
【発明の詳細な説明】
【技術分野】
【０００１】
この発明は、室内機の識別情報と位置情報とを関連付ける空調システムに関する。
【背景技術】
【０００２】
従来から、複数の室内機の識別情報と位置情報とを関連付ける空調システムが知られている（例えば特許文献１参照）。この空調システムでは、通信用のアドレス情報（識別情報）が設定された室内機に対し、作業者がリモコンを用いて当該室内機の設置場所名を入力し、当該室内機に情報を送信している。そして、室内機を管理する集中コントローラでは、室内機から送信されたアドレス情報と設置場所名から、当該室内機を一意に特定し、室内機の識別情報と位置情報とを関連付けている。
【先行技術文献】
【特許文献】
【０００３】
【特許文献１】特開２００３−２２７６４４号公報
【発明の概要】
【発明が解決しようとする課題】
【０００４】
しかしながら、従来技術では作業者が室内機毎に設置場所名を入力する必要があるが、ビル用の空調システムでは数十台もの室内機が接続されており、作業が複雑であり、人為的ミスが発生する恐れがあるという課題がある。また、室内機毎に上記作業を行うため、作業時間がかかるという課題がある。
【０００５】
この発明は、上記のような課題を解決するためになされたもので、手入力を行わず、室内機の識別情報と位置情報とを関連付け可能な空調システムを提供することを目的としている。
【課題を解決するための手段】
【０００６】
この発明に係る空調システムは、室内機及び携帯端末を備え、室内機は、自機の識別情報を含む信号を送信する識別情報送信部を有し、携帯端末は、識別情報送信部により送信された信号を受信する識別情報受信部と、識別情報受信部により受信された信号から、室内機の位置情報を検出する位置情報検出部と、識別情報受信部により受信された信号に含まれる識別情報及び位置情報検出部により検出された該当する位置情報を関連付けて記憶する関連情報記憶部とを有することを特徴とする。
【発明の効果】
【０００７】
この発明によれば、上記のように構成したので、手入力を行わず、室内機の識別情報と位置情報とを関連付け可能となる。
【図面の簡単な説明】
【０００８】
【図１】この発明の実施の形態１に係る空調システムの構成例を示す図である。
【図２】この発明の実施の形態１における室内機の構成例を示す図である。
【図３】この発明の実施の形態１における携帯端末の構成例を示す図である。
【図４】この発明の実施の形態１における携帯端末及び集中コントローラが記憶している初期のフロアマップの一例を示す図である。
【図５】この発明の実施の形態１における集中コントローラの構成例を示す図である。
【図６】この発明の実施の形態１に係る空調システムによる動作例を示すシーケンス図である。
【図７】この発明の実施の形態１における位置情報検出部による位置情報の検出を説明する図である。
【図８】この発明の実施の形態１における対応付け部により識別情報が対応づけられたフロアマップの一例を示す図である。
【図９】図９Ａ、図９Ｂは、この発明の実施の形態１における制御部のハードウェア構成例を示す図である。
【発明を実施するための形態】
【０００９】
以下、この発明の実施の形態について図面を参照しながら詳細に説明する。
実施の形態１．
図１はこの発明の実施の形態１に係る空調システムの構成例を示す図である。
空調システムは、図１に示すように、室外機１及び室内機２から成る空気調和機３、携帯端末４、及び集中コントローラ５を備えている。ここで、室外機１、室内機２及び集中コントローラ５はそれぞれ有線接続されている。また、室内機２と携帯端末４は、近距離通信可能に構成されている。また、携帯端末４と集中コントローラ５は、例えばインターネット６を介して接続されている。
【００１０】
なお図１では、室外機１が１台設けられた場合を示しているが、室外機１は複数台設けられていてもよい。また図１では、携帯端末４が１台設けられた場合を示しているが、携帯端末４は複数台設けられていてもよい。また図１では、１台の室外機１に対して１台の室内機２が有線接続された場合を示しているが、１台の室外機１に対して複数台の室内機２が接続されていてもよい。
【００１１】
次に、室内機２の構成例について、図２を参照しながら説明する。
室内機２は、図２に示すように、アドレス設定部２０１、有線通信部２０２、記憶部２０３、識別情報送信部２０４及び制御部２０５を備えている。
【００１２】
アドレス設定部２０１は、有線通信部２０２で使用される有線通信用のアドレス情報を設定する。このアドレス設定部２０１は、ロータリースイッチから成り、室内機２の施工時に、施工業者により手動でスイッチが回されることで、アドレス情報を設定する。
【００１３】
有線通信部２０２は、アドレス設定部２０１により設定されたアドレス情報を用いて、有線接続された機器（室外機１、他の室内機２又は集中コントローラ５）との間で、情報の送受信を行う。すなわち、有線通信部２０２は、制御部２０５からの命令を受けて他の機器に対して情報を送信し、また、他の機器からの情報を受信する。
【００１４】
記憶部２０３は、有線通信部２０２により受信された情報等を記憶する。この記憶部２０３で記憶される情報としては、温度設定情報等が挙げられる。
【００１５】
識別情報送信部２０４は、制御部２０５からの命令を受けて、自機の識別情報を含む信号を、無線で携帯端末４に送信する。この際、識別情報送信部２０４は、上記信号の送信を一定期間継続して行う。また以下では、識別情報送信部２０４は、自機の識別情報のみを携帯端末４に送信する場合を示す。識別情報としては、アドレス設定部２０１により設定されたアドレス情報の他、その他の室内機２を識別可能な情報（シリアルナンバー等）を用いることができる。
【００１６】
制御部２０５は、室内機２の動作を制御する。例えば、制御部２０５は、有線通信部２０２に対して情報の送受信を行わせ、有線通信部２０２により受信された情報を元に室内機２の動作を制御する。また、制御部２０５は、有線通信部２０２を介して、集中コントローラ５から識別情報の送信命令を受けた場合に、識別情報送信部２０４に対して識別情報の送信を命令する。
【００１７】
次に、携帯端末４の構成例について、図３を参照しながら説明する。
携帯端末４は、図３に示すように、識別情報受信部４０１、位置情報受付部４０２、位置情報検出部４０３、記憶部（端末側マップ記憶部、関連情報記憶部）４０４、対応付け部４０５、マップ送信部４０６、表示部４０７及び制御部４０８を備えている。なお、携帯端末４としては、モバイルＰＣ、タブレット又はスマートフォン等のアプリケーションを使用可能である。
【００１８】
識別情報受信部４０１は、室内機２の識別情報送信部２０４により送信された識別情報を含む信号を受信する。
【００１９】
位置情報受付部４０２は、タッチパネル等の入力装置（不図示）を介して作業者から、フロアマップ上における携帯端末４の位置情報の入力を受付ける。
【００２０】
位置情報検出部４０３は、識別情報受信部４０１により受信された信号から、室内機２の位置情報を検出する。なお以下では、位置情報検出部４０３は、位置情報受付部４０２により受付けられた携帯端末４の位置情報及び識別情報受信部４０１により受信された信号の電界強度から、室内機２の位置情報を検出する。
【００２１】
記憶部４０４は、室内機２が設置された建物のフロアマップを記憶する。なお、図４に示すように、初期のフロアマップでは、建物内に設置された室内機２に対し、識別情報は付与されておらず、位置情報のみが付与されている。この初期のフロアマップは、携帯端末４で事前に作成してもよいし、外部（集中コントローラ５等）から取得してもよい。このフロアマップは、対応付け部４０５により識別情報が対応付けられる。
また、記憶部４０４は、識別情報受信部４０１により受信された信号に含まれる識別情報及び位置情報検出部４０３により検出された該当する位置情報を関連付けて記憶する。      
【００２２】
対応付け部４０５は、記憶部４０４に記憶された位置情報に基づいて、記憶部４０４に記憶されたフロアマップに示された該当する室内機２に対し、当該位置情報に関連付けられた識別情報を対応付ける。
【００２３】
マップ送信部４０６は、対応付け部４０５による対応付けが完了した後、記憶部４０４に記憶されたフロアマップを、インターネット６を介して集中コントローラ５に送信する。
【００２４】
表示部４０７は、記憶部４０４に記憶されたフロアマップ等を表示する。
制御部４０８は、携帯端末４の動作を制御する。
【００２５】
次に、集中コントローラ５の構成例について、図５を参照しながら説明する。
集中コントローラ５は、図５に示すように、有線通信部５０１、記憶部（コントローラ側マップ記憶部）５０２、マップ受信部５０３、マップ更新部５０４、表示部５０５及び制御部５０６を備えている。
【００２６】
有線通信部５０１は、有線接続された機器（室外機１又は室内機２）との間で、情報の送受信を行う。すなわち、有線通信部５０１は、制御部５０６からの命令を受けて他の機器に対して情報を送信し、また、他の機器からの情報を受信する。
【００２７】
記憶部５０２は、フロアマップ、及び有線通信部５０１により受信された情報等を記憶する。なお、記憶部５０２に記憶される初期のフロアマップ（図４と同一）は、集中コントローラ５で事前に作成してもよいし、外部（携帯端末４等）から取得してもよい。また、このフロアマップは、マップ更新部５０４により更新される。
【００２８】
マップ受信部５０３は、携帯端末４のマップ送信部４０６により送信されたフロアマップを受信する。
マップ更新部５０４は、記憶部５０２に記憶されたフロアマップを、マップ受信部５０３により受信されたフロアマップに更新する。
【００２９】
表示部５０５は、記憶部５０２に記憶されたフロアマップ等を表示する。
制御部５０６は、集中コントローラ５の動作を制御する。また、制御部５０６は、有線通信部５０１を介して、全ての室内機２に対して識別情報を送信するよう命令する。
【００３０】
次に、上記のように構成された空調システムの動作例について、図６を参照しながら説明する。
空調システムの動作例では、図６に示すように、まず、集中コントローラ５の制御部５０６は、有線通信部５０１を介して、全ての室内機２に対して識別情報を送信するよう命令する（ステップＳＴ６０１）。
【００３１】
次いで、室内機２は自身の識別情報を含む信号を一定期間送信する（ステップＳＴ６０２）。すなわち、まず、室内機２の制御部２０５は、有線通信部２０２を介して、集中コントローラ５から上記命令を受けると、識別情報送信部２０４に対して識別情報の送信を命令する。そして、識別情報送信部２０４は、上記命令を受けて、自機の識別情報（アドレス情報等）を、無線により携帯端末４に送信し続ける。
【００３２】
そして、各室内機２により上記信号が送信されている間に、携帯端末４を持つ作業者は、携帯端末４の表示部４０７に表示されたフロアマップ（図４）を見ながら室内機２の真下（ほぼ真下の意味を含む）に移動する。
【００３３】
そして、携帯端末４の識別情報受信部４０１は、室内機２の識別情報送信部２０４により送信された識別情報を含む信号を受信する（ステップＳＴ６０３）。
【００３４】
次いで、位置情報受付部４０２は、入力装置を介して作業者から、フロアマップ上における携帯端末４の位置情報の入力を受付ける（ステップＳＴ６０４）。
例えば、作業者が図４に示すフロアマップを参照して、室内機Ａの真下に移動したとする。この場合、作業者は、表示部４０７に表示されたフロアマップ上の室内機Ａの位置をタップすることで、携帯端末４の現在の位置情報を入力する。
【００３５】
次いで、位置情報検出部４０３は、識別情報受信部４０１により受信された信号から、室内機２の位置情報を検出する（ステップＳＴ６０５）。この際、位置情報検出部４０３は、位置情報受付部４０２により受付けられた位置情報を、識別情報受信部４０１により受信された信号のうちの最も電界強度が高い信号に対応する室内機２の位置情報として検出する。図７では、最も高い電界強度７０１と、その信号に含まれる識別情報７０２とがフロアマップ上に表示された例を示している。
例えば、作業者が図４に示すフロアマップを参照して、室内機Ａの真下に移動したとする。この場合、識別情報受信部４０１では、室内機Ａからの信号の他に、室内機Ｂからの信号も受信することになる。一方、室内機Ａは、室内機Ｂに対し、作業者の位置から近いため、室内機Ａからの信号の電界強度は、室内機Ｂからの信号の電界強度よりも高くなる。よって、位置情報検出部４０３は、現在の携帯端末４の位置が、室内機Ａの位置であると特定する。
【００３６】
次いで、記憶部４０４は、識別情報受信部４０１により受信された信号に含まれる識別情報及び位置情報検出部４０３により検出された該当する位置情報を関連付けて記憶する（ステップＳＴ６０６）。なお、記憶部４０４に記憶されたフロアマップは、対応付け部４０５により識別情報が対応付けられる。
【００３７】
次いで、対応付け部４０５は、記憶部４０４に記憶された位置情報に基づいて、記憶部４０４に記憶されたフロアマップに示された該当する室内機２に対し、位置情報に関連付けられた識別情報を対応付ける（ステップＳＴ６０７）。
【００３８】
その後、携帯端末４を持つ作業者は、携帯端末４の表示部４０７に表示されたフロアマップを見ながら、建物内を移動して全ての室内機２の真下を順に通る。これにより、携帯端末４では、全ての室内機２の位置を特定し、フロアマップの更新を行う。その結果、携帯端末４は、図８に示すように、フロアマップ上の全ての室内機２に対し、識別情報を追加できる。
【００３９】
そして、マップ送信部４０６は、対応付け部４０５による対応付けが完了した後、記憶部４０４に記憶されたフロアマップを、インターネット６を介して集中コントローラ５に送信する（ステップＳＴ６０８）。
【００４０】
次いで、集中コントローラ５のマップ受信部５０３は、携帯端末４からの上記フロアマップを受信し、マップ更新部５０４は、記憶部５０２に記憶されたフロアマップを、上記フロアマップに更新する（ステップＳＴ６０９）。
【００４１】
なお上記では、携帯端末４と集中コントローラ５との間で、インターネット６を介してフロアマップの送受信を行う場合を示した。しかしながら、携帯端末４と集中コントローラ５との間のフロアマップの相互更新方法は、これに限るものではなく、例えば、フラッシュメモリ等の記憶媒体又は有線通信により行ってもよい。なお、記憶媒体を用いてフロアマップの更新を行う場合には、携帯端末４のマップ送信部４０６及び集中コントローラ５のマップ受信部５０３は不要である。
【００４２】
また上記では、位置情報検出部４０３は、識別情報受信部４０１により受信された信号の電界強度に基づいて、室内機２の位置情報を検出する場合を示した。しかしながら、これに限らず、他の方法により室内機２の位置情報を検出してもよい。例えば、識別情報送信部２０４は、自機の識別情報及び位置情報（ＧＰＳ信号等）を含む信号を送信し、位置情報検出部４０３は、識別情報送信部２０４により受信された信号に含まれる位置情報から、室内機２の位置情報を検出してもよい。
【００４３】
また上記では、位置情報受付部４０２は、外部入力により携帯端末４の位置情報を受付ける場合を示したが、携帯端末４が位置情報（ＧＰＳ信号等）を検出可能な場合には、位置情報検出部４０３は当該位置情報を用いてもよい。この場合、位置情報受付部４０２は不要である。
【００４４】
以上のように、この実施の形態１によれば、室内機２は、自機の識別情報を含む信号を送信する識別情報送信部２０４を有し、携帯端末４は、識別情報送信部２０４により送信された信号を受信する識別情報受信部４０１と、識別情報受信部４０１により受信された信号から、室内機２の位置情報を検出する位置情報検出部４０３と、識別情報受信部４０１により受信された信号に含まれる識別情報及び位置情報検出部４０３により検出された該当する位置情報を関連付けて記憶する記憶部４０４とを有するように構成したので、手入力を行わず、室内機２の識別情報と位置情報とを関連付け可能となる。その結果、従来構成に対し、室内機２の設置箇所と識別情報とを対応付ける作業が容易となり、また、作業時間を大幅に短縮できる。
【００４５】
最後に、図９を参照して、実施の形態１における制御部２０５，４０８，５０６のハードウェア構成例を説明する。なお以下では、制御部２０５のハードウェア構成例について説明を行うが、その他の制御部４０８，５０６についても同様である。
制御部２０５における各機能は、処理回路５１により実現される。処理回路５１は、図９Ａに示すように、専用のハードウェアであっても、図９Ｂに示すように、メモリ５３に格納されるプログラムを実行するＣＰＵ（Ｃｅｎｔｒａｌ  Ｐｒｏｃｅｓｓｉｎｇ  Ｕｎｉｔ、中央処理装置、処理装置、演算装置、マイクロプロセッサ、マイクロコンピュータ、プロセッサ、ＤＳＰ（Ｄｉｇｉｔａｌ  Ｓｉｇｎａｌ  Ｐｒｏｃｅｓｓｏｒ）ともいう）５２であってもよい。
【００４６】
処理回路５１が専用のハードウェアである場合、処理回路５１は、例えば、単一回路、複合回路、プログラム化したプロセッサ、並列プログラム化したプロセッサ、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）、又はこれらを組み合わせたものが該当する。制御部２０５の機能それぞれを処理回路５１で実現してもよいし、制御部２０５の機能をまとめて処理回路５１で実現してもよい。
【００４７】
処理回路５１がＣＰＵ５２の場合、制御部２０５の機能は、ソフトウェア、ファームウェア、又はソフトウェアとファームウェアとの組み合わせにより実現される。ソフトウェアやファームウェアはプログラムとして記述され、メモリ５３に格納される。処理回路５１は、メモリ５３に記憶されたプログラムを読み出して実行することにより、制御部２０５の機能を実現する。すなわち、制御部２０５は、処理回路５１により実行されるときに、例えば図６に示したステップＳＴ６０２が結果的に実行されることになるプログラムを格納するためのメモリ５３を備える。また、これらのプログラムは、制御部２０５の手順や方法をコンピュータに実行させるものであるともいえる。ここで、メモリ５３とは、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）等の、不揮発性又は揮発性の半導体メモリや、磁気ディスク、フレキシブルディスク、光ディスク、コンパクトディスク、ミニディスク、ＤＶＤ（Ｄｉｇｉｔａｌ  Ｖｅｒｓａｔｉｌｅ  Ｄｉｓｃ）等が該当する。
【００４８】
なお、制御部２０５の機能について、一部を専用のハードウェアで実現し、一部をソフトウェア又はファームウェアで実現するようにしてもよい。
このように、処理回路５１は、ハードウェア、ソフトウェア、ファームウェア、又はこれらの組み合わせによって、上述の機能を実現することができる。
【００４９】
なお、本願発明はその発明の範囲内において、実施の形態の任意の構成要素の変形、もしくは実施の形態の任意の構成要素の省略が可能である。
【符号の説明】
【００５０】
１  室外機、２  室内機、３  空気調和機、４  携帯端末、５  集中コントローラ、６  インターネット、５１  処理回路、５２  ＣＰＵ、５３  メモリ、２０１  アドレス設定部、２０２  有線通信部、２０３  記憶部、２０４  識別情報送信部、２０５  制御部、４０１  識別情報受信部、４０２  位置情報受付部、４０３  位置情報検出部、４０４  記憶部（端末側マップ記憶部、関連情報記憶部）、４０５  対応付け部、４０６  マップ送信部、４０７  表示部、４０８  制御部、５０１  有線通信部、５０２  記憶部（コントローラ側マップ記憶部）、５０３  マップ受信部、５０４  マップ更新部、５０５  表示部、５０６制御部。
【図１】
2017207248.tif 000003
【図２】
2017207248.tif 000004
【図３】
2017207248.tif 000005
【図４】
2017207248.tif 000006
【図５】
2017207248.tif 000007
【図６】
2017207248.tif 000008
【図７】
2017207248.tif 000009
【図８】
2017207248.tif 000010
【図９】
2017207248.tif 000011